(57)【要約】【課題】従来の発泡材製の玩具の軽量性を保つと共に、耐衝撃の強度補強を実現することができる玩具を提供する。【解決手段】複数の部品から組み立てられた玩具であって、複数の部品は、主として、発泡材から形成された本体と、耐衝撃材で本体の外表面に形成されてなった被覆層とからなっている。【選択図】図１
0003127424.tif 000002
【実用新案登録請求の範囲】
【請求項１】
主として発泡材から形成された本体と、耐衝撃材で前記本体の外表面に形成されてなった被覆層とからなっていることを特徴とする玩具。
【請求項２】
複数の部品から組み立てられた玩具であって、前記複数の部品は、主として、発泡材から形成された本体と、耐衝撃材で前記本体の外表面に形成されてなった被覆層とからなっているものであることを特徴とする玩具。
【請求項３】
複数の部品を有する上、組立てにより玩具を形成することができる玩具組立てセットであって、前記複数の部品は、主として、発泡材から形成された本体と、耐衝撃材で前記本体の外表面に形成されてなった被覆層とからなっているものであることを特徴とする玩具組立てセット。
【請求項４】
前記本体は、少なくともその一部が中空体になっていることを特徴とする請求項１に記載の玩具。
【請求項５】
前記耐衝撃材は、アクリロニトリルブタジエン  スチレン共重合体、ポリエチレン  テレフタレート、ポリプロピレン、ポリスチレン、ポリエチレンの中から選ばれた非発泡プラスチック材であることを特徴とする請求項１または２に記載の玩具。
【請求項６】
前記発泡材は、発泡ポリエチレン、発泡ポリプロピレン、発泡ポリスチレン、エチレンエチルビニル共重合体、発泡ポリオレフィンの中から選ばれた発泡プラスチック材であることを特徴とする請求項１または２に記載の玩具。
【請求項７】
前記被覆層の外表面に装飾用の模様が施されていることを特徴とする請求項１または２に記載の玩具。
【考案の詳細な説明】
【技術分野】
【０００１】
本考案は、玩具及びその組立てセットに関し、特に耐衝撃の強度補強をも実現できる発泡材製の玩具及びその組立てセットに関する。
【背景技術】
【０００２】
従来、複数の部品を有する上、組立てにより玩具を形成することができる発泡材製の玩具がある。(特許文献１参照)
このような発泡材製の玩具は、発泡ポリエチレン、発泡ポリプロピレン、発泡ポリスチレン、エチレンエチルビニル共重合体、発泡ポリオレフィンなど、発泡プラスチック材から形成されたので、成型性、防水性、軽量性の利点があるが、軽量の反面、充分な強度が得られにくく、遊びの時に破損しやすい、という欠点がある。
【特許文献１】台湾実用新案第２６９１０８号
【考案の開示】
【考案が解決しようとする課題】
【０００３】
上記に鑑みて、本考案は、従来の利点、特に軽量性の外、耐衝撃性ももつ発泡材製の玩具及びその組立てセットを提供することを目的とする。
【課題を解決するための手段】
【０００４】
上記目的を達成するために、本考案は、主として発泡材から形成された本体と、耐衝撃材で本体の外表面に形成されてなった被覆層とからなっていることを特徴とする玩具を提供する。
【０００５】
具体的に言えば、本考案は、複数の部品から組み立てられた玩具であって、複数の部品は、主として、発泡材から形成された本体と、耐衝撃材で本体の外表面に形成されてなった被覆層とからなっているものであることを特徴とする玩具、及び、複数の部品を有する上、組立てにより玩具を形成することができる玩具組立てセットであって、複数の部品は、主として、発泡材から形成された本体と、耐衝撃材で本体の外表面に形成されてなった被覆層とからなっているものであることを特徴とする玩具組立てセットを提供する。
【考案の効果】
【０００６】
前記本考案の構成によれば、玩具の部品の外表面にさらに耐衝撃材から形成されてなった被覆層があるので、従来の発泡材製の玩具の軽量性を保つと共に、耐衝撃の強度補強を実現することができる。
【考案を実施するための最良の形態】
【０００７】
以下、本考案の好適な実施例を図面を参照して説明する。
【０００８】
図１は本考案の玩具の一実施例の斜視図であり、図２は図１に示した同玩具の部分断面図であり、図３は図２における３−３線断面図である。
【０００９】
図１に示すように、本実施例の玩具２は、複数の部品２１から組み立てられてなった飛行機模型である。複数の部品２１は、主要構成としての部品、例えば飛行機模型の胴身２１１、両主翼２１２、両水平尾翼２１３及び垂直尾翼２１４などが発泡材から形成されたものであるが、他に付属構成として、例えばプロペラ２１５、標識２１６などが、その構造や機能に応じ、他の材料から形成されたものもある。
【００１０】
胴身２１１は、図２及び図３に示すように、中空体となっているが、その内外両表面にそれぞれ耐衝撃材から形成されてなった被覆層２１１aがある。
【００１１】
そして、両主翼２１２、両水平尾翼２１３及び垂直尾翼２１４は、いずれも、実体的なものであるが、その外表面にも耐衝撃材から形成されてなった被覆層２１２a、２１３ａ、２１４ａがある。
【００１２】
ここで、胴身２１１、両主翼２１２、両水平尾翼２１３及び垂直尾翼２１４の形成に適する発泡材は、発泡ポリエチレン、発泡ポリプロピレン、発泡ポリスチレン、エチレンエチルビニル共重合体、発泡ポリオレフィンなどが挙げられる。このような発泡プラスチック材は軽量で成型性が良いので、本実施例の主要構成に適用である。
【００１３】
また、被覆層２１１a、２１２a、２１３ａ、２１４ａの形成に適する耐衝撃材は、アクリロニトリルブタジエンスチレン共重合体、ポリエチレンテレフタレート、ポリプロピレン、ポリスチレン、ポリエチレンなどが挙げられる。このような非発泡プラスチック材は成型性が良い上、耐衝撃性もかなり高いので、本実施例の被覆層２１１a、２１２a、２１３ａ、２１４ａに適用し、飛行機模型の耐衝撃の強度補強を実現することができる。
【００１４】
本実施例の飛行機模型２を製造する例としては、先ず、発泡ポリエチレン、発泡ポリプロピレン、発泡ポリスチレン、エチレンエチルビニル共重合体、発泡ポリオレフィンの中から選ばれた発泡プラスチック材を、アクリロニトリルブタジエン  スチレン共重合体、ポリエチレン  テレフタレート、ポリプロピレン、ポリスチレン、ポリエチレンの中から選ばれた耐衝撃材である非発泡プラスチック材で形成された２枚のプラスチックシートの間に入れてから、プラスチック押出し機でプレス成型により、それらの表面に、耐衝撃材から形成されてなった被覆層のある部品２１、例えば（胴身２１１、両主翼２１２、両水平尾翼２１３、垂直尾翼２１４など）をそれぞれ形成する。胴身２１１は、体積が大きい上、中空体であるので、互いに結合できる対称的な二つ（図３参照）や、三つ、四つに分けて成型することができる。
【００１５】
そして、複数の部品２１及び他の部品例えばプロペラ２１５、標識２１６を組み立てて飛行機模型を完成する。
【００１６】
また、図１に示すように、本実施例の飛行機模型２は、さらに、被覆層２１１ａ、２１２ａ、２１３ａ、２１４ａの外表面２１７に装飾用の模様を施すこともできる。
【００１７】
本実施例においては、玩具２は飛行機模型になっているが、その限りではなく、種々の動物、昆虫、乗物などになっても良い。
【００１８】
また、本考案の玩具２は、動力伝達装置又は電子部品を付け加えてラジコン玩具とすることもできる。
【００１９】
以上、本考案の好適な実施形態について説明したが、本考案は前記実施形態に限定して狭義に解釈されるものではなく、即ち本考案の精神の範囲内において種々の変形や変更が可能である。
【産業上の利用可能性】
【００２０】
前記構成の玩具は、玩具の部品の外表面にさらに耐衝撃材から形成されてなった被覆層があるので、従来の発泡材製の玩具の軽量性を保つと共に、耐衝撃の強度補強を実現することができる。従って、使用耐久性もより良い。
【図面の簡単な説明】
【００２１】
【図１】本考案の玩具の一実施例の斜視図。
【図２】図１に示した同玩具の部分断面図。
【図３】図２における３−３線断面図。
【符号の説明】
【００２２】
２．．．．．．．玩具
２１．．．．．部品
２１１．．．胴身
２１２．．．主翼
２１３．．．水平尾翼
２１４．．．垂直尾翼
２１５．．．プロペラ
２１６．．．標識
２１７．．．外表面
２１１ａ、２１２ａ、２１３ａ、２１４ａ．．．被覆層
【図１】
0003127424.tif 000003
【図２】
0003127424.tif 000004
【図３】
0003127424.tif 000005